(57)【特許請求の範囲】
【請求項１】
マイクロホンと、
前記マイクロホンへ発せられた音声を通話相手に送る通常モードと、前記音声を通話相手に送らないミュートモードとの切替えを行う切替制御部と、
被検出物が近接したことを検出するための近接検出部と、を備え、
前記切替制御部は、
前記ミュートモードが実行されているときに、前記近接検出部へ前記被検出物が近接すると、前記通常モードへ切り替え、
前記通常モードが実行されているときに、前記近接検出部により前記被検出物が離れたとの検出が一定時間続くと、前記ミュートモードに切り替え、
前記一定時間が経過する前に特定の操作がなされたか否かを判定し、前記特定の操作がなされたと判定すると、前記一定時間が経過しても前記ミュートモードに切り替えず、
前記特定の操作は、受話音量を調整する操作、ユーザ自身の電話番号を表示させるための操作、電話帳の機能を起動する操作またはハンズフリーに切り替える操作を含む、
ことを特徴とする携帯端末装置。
【請求項２】
請求項１に記載の携帯端末装置において、
前記携帯端末装置の移動を検出するための移動検出部を備え、
前記切替制御部は、前記携帯端末装置の移動を前記移動検出部が検出した後に前記近接検出部へ前記被検出物が近接すると、前記通常モードへ切り替える、
ことを特徴とする携帯端末装置。
【請求項３】
請求項１または２に記載の携帯端末装置において、
前記携帯端末装置の姿勢を検出するための姿勢検出部を備え、
前記切替制御部は、前記携帯端末装置が予め定められた状態よりも傾いていることを前記姿勢検出部が検出したときに前記近接検出部へ前記被検出物が近接すると、前記通常モードへ切り替える、
ことを特徴とする携帯端末装置。
【請求項４】
請求項１ないし３の何れか一項に記載の携帯端末装置において、
前記近接検出部は、第１の検出部と、記第１の検出部と異なる位置に配置された第２の検出部とを含み、
前記切替制御部は、前記第１の検出部と前記第２の検出部の双方が前記被検出物の近接を検出すると、前記通常モードへ切り替える、
ことを特徴とする携帯端末装置。
【請求項５】
請求項１ないし４の何れか一項に記載の携帯端末装置において、
前記ミュートモードへの切替操作を行うための操作部を備え、
前記切替制御部は、前記切替操作がなされると、前記ミュートモードに切り替える、
ことを特徴とする携帯端末装置。
【請求項６】
請求項１ないし４の何れか一項に記載の携帯端末装置において、
前記切替制御部は、通話を開始してから最初に前記近接検出部が前記被検出物の近接を検出するまで前記ミュートモードに切り替えない、
ことを特徴とする携帯端末装置。
【請求項７】
請求項４に記載の携帯端末装置において、
通話相手から送られた音声を出力するスピーカを備え、
前記第１の検出部は、前記スピーカの周囲に配されるとともに、前記第２の検出部は、前記第１の検出部よりも前記マイクロホンに近づくように配され、
前記切替制御部は、前記第１の検出部と前記第２の検出部の双方が前記被検出物の近接を検出しなくなると、前記ミュートモードに切り替える、
ことを特徴とする携帯端末装置。
【請求項８】
マイクロホンと、
通話相手から送られた音声を出力するスピーカと、
前記マイクロホンへ発せられた音声を通話相手に送る通常モードと、前記音声を通話相手に送らないミュートモードとの切替えを行う切替制御部と、
被検出物が近接したことを検出するための近接検出部と、を備え、
前記近接検出部は、第１の検出部と第２の検出部とを含み、
前記第１の検出部は、前記スピーカの周囲に配されるとともに、前記第２の検出部は、前記第１の検出部よりも前記マイクロホンに近づくように配され、
前記第１の検出部と前記第２の検出部の感度は、前記第１の検出部が前記被検出物を検出する距離よりも、前記第２の検出部が前記被検出物を検出する距離が長くなるように設定され、
前記切替制御部は、
前記ミュートモードが実行されているときに、前記近接検出部へ前記被検出物が近接すると、前記通常モードへ切り替え、
前記通常モードが実行されているときに、前記第１の検出部と前記第２の検出部の双方が前記被検出物の近接を検出しなくなると、前記ミュートモードに切り替え、
前記第１の検出部と前記第２の検出部のどちらか一方が前記被検出物の近接を検出しないときは、前記通常モードを維持する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯電話機などの携帯端末装置では、ミュート機能が搭載されている。たとえば、通話時に、ミュートキーが押されれば、ミュートモードが実行される。ミュートモードでは、たとえば、マイクがオフされ、通話相手に音声が送られなくなる。解除キー（同じミュートキーでも良い）が押されれば、ミュートモードが解除され、通話相手に音声が送られる状態に戻る。
【０００３】
このように、ユーザのキー操作によって、ミュートモードが解除される場合には、ユーザがうっかり解除操作を忘れてしましい、通話相手に同じ内容を二度話さなければならなくなることが生じ易い。
【０００４】
一方、キー操作を行わずにミュートモードへの切り替えが行われる構成として、たとえば、マイクの近くに指の接触を検出する接触検出部を配置し、接触検出部によって指の接触が検出されている間、ミュートモードが実行されるような構成が採られ得る（たとえば、特許文献１参照）。
【先行技術文献】
【特許文献】
【０００５】
【特許文献１】特開２００７−８１４６０号公報
【発明の概要】
【発明が解決しようとする課題】
【０００６】
しかしながら、上記のように、指の接触を検出してミュートモードの切替えを行うような構成とした場合には、ミュートモードの実行中に他の操作を行う際、接触した指はそのままにしておかなければならず、他の操作を行い難く、操作性が不十分であった。
【０００７】
本発明は、かかる課題に鑑みてなされたものであり、操作性を損なわせることなく、通話を再開しようとした際にミュートモードが実行されたままで通話ができないことを回避可能な携帯端末装置を提供することを目的とする。
【課題を解決するための手段】
【０００８】
本発明の携帯端末装置は、マイクロホンと、前記マイクロホンへ発せられた音声を通話相手に送る通常モードと、前記音声を通話相手に送らないミュートモードとの切替えを行う切替制御部と、被検出物が近接したことを検出するための近接検出部とを備える。ここで、前記切替制御部は、前記ミュートモードが実行されているときに、前記近接検出部へ前記被検出物が近接すると、前記通常モードへ切り替える。また、前記切替制御部は、前記通常モードが実行されているときに、前記近接検出部により前記被検出物が離れたとの検出が一定時間続くと、前記ミュートモードに切り替える。さらに、前記切替制御部は、前記一定時間が経過する前に特定の操作がなされたか否かを判定し、前記特定の操作がなされたと判定すると、前記一定時間が経過しても前記ミュートモードに切り替えない。前記特定の操作は、受話音量を調整する操作、ユーザ自身の電話番号を表示させるための操作、電話帳の機能を起動する操作またはハンズフリーに切り替える操作を含む。
【０００９】
本発明の携帯端末装置によれば、通話相手との通話を再開するために、ユーザが携帯端末装置を耳元に近づけさえすれば、自動的にミュートモードが解除され、通常モードに切り替わる。よって、通話を再開しようとした際にミュートモードが実行されたままで通話できない状態を回避できる。しかも、ミュートモード中にも指が自由に使えるため、他の操作を行いやすい。
また、ユーザが耳元から携帯端末装置を離せば自動的にミュートモードに切り替わるので、ミュートモードへの切替えが容易に行える。
さらに、ユーザがミュートの切替えを意図せずに、わずかな間、耳元から携帯端末装置を離しても、ミュートモードに切替わらない。よって、ミュートモードが誤って実行され難い。
さらに、ユーザが携帯端末装置を耳元から離しても、受話音量を調整する操作、ユーザ自身の電話番号を表示させるための操作、電話帳の機能を起動する操作またはハンズフリーに切り替える操作を行うことにより、ミュートモードに切り替わらない。よって、ユーザに対する利便性が良くなる。
【００１０】
本発明の携帯端末装置は、前記携帯端末装置の移動を検出するための移動検出部をさらに備えるような構成とされ得る。この場合、前記切替制御部は、前記携帯端末装置の移動を前記移動検出部が検出した後に前記近接検出部へ前記被検出物が近接すると、前記通常モードへ切り替える。
【００１１】
ユーザが誤って手や指を近接検出部に近づける場合には、その前に携帯端末装置が移動していないことが多い。上記のような構成とすれば、近接検出部によって被検出物の近接が検出される前に携帯端末装置が移動されなければミュートモードが解除されないので、ミュートモードが誤って解除され難い。
【００１２】
本発明の携帯端末装置は、前記携帯端末装置の姿勢を検出するための姿勢検出部をさらに備えるような構成とされ得る。この場合、前記切替制御部は、前記携帯端末装置が予め定められた状態よりも傾いていることを前記姿勢検出部が検出したときに前記近接検出部へ前記被検出物が近接すると、前記通常モードへ切り替える。
【００１３】
机やテーブルに置かれた状態では、携帯端末装置が水平に近い状態となる。このため、ミュートモードが実行されているときに、ユーザが携帯端末装置を机やテーブルに置いた状態で、誤って手や指が近接検出部に近づいても、ミュートモードが解除されない。よって、ミュートモードが誤って解除され難い。
【００１４】
本発明の携帯端末装置において、前記近接検出部は、第１の検出部と、前記第１の検出部と異なる位置に配置された第２の検出部とを含むような構成とされ得る。この場合、前記切替制御部は、前記第１の検出部と前記第２の検出部の双方が前記被検出物の近接を検出すると、前記通常モードへ切り替える。
【００１５】
このような構成とれば、手や指が誤って一方の検出部に触れてしまってもミュートモードが解除されないので、ミュートモードが誤って解除され難い。
【００１６】
本発明の携帯端末装置は、前記ミュートモードへの切替操作を行うための操作部をさらに備えるような構成とされ得る。この場合、前記切替制御部は、前記切替操作がなされると、前記ミュートモードに切り替える。
【００１７】
このような構成とすれば、ミュートモードへの切替えが、ユーザの操作により行われるので、ミュートモードが誤って実行され難い。
【００２０】
本発明の携帯端末装置において、前記切替制御部は、通話を開始してから最初に前記近接検出部が前記被検出物の近接を検出するまで前記ミュートモードに切り替えないような構成とされ得る。
【００２１】
このような構成とすれば、通話開始時に、ユーザが意図しないにも関わらずミュートモードが実行されるのを防止できる。
【００２６】
本発明の携帯端末装置は、通話相手から送られた音声を出力するスピーカをさらに備えるような構成とされ得る。さらに、前記第１の検出部は、前記スピーカの周囲に配されるとともに、前記第２の検出部は、前記第１の検出部よりも前記マイクロホンに近づくように配され得る。この場合、前記切替制御部は、前記第１の検出部と前記第２の検出部の双方が前記被検出物の近接を検出しなくなると、前記ミュートモードに切り替える。
【００２７】
このような構成とすれば、誤ってスピーカに近い第１の検出部側から耳が離れても、第２の検出部が頬などに近接していれば、ミュートモードに切替わらない。よって、ミュートモードが誤って実行され難い。
本発明の携帯端末装置は、マイクロホンと、通話相手から送られた音声を出力するスピーカと、前記マイクロホンへ発せられた音声を通話相手に送る通常モードと、前記音声を通話相手に送らないミュートモードとの切替えを行う切替制御部と、被検出物が近接したことを検出するための近接検出部と、を備える。ここで、前記近接検出部は、第１の検出部と第２の検出部とを含む。前記第１の検出部は、前記スピーカの周囲に配されるとともに、前記第２の検出部は、前記第１の検出部よりも前記マイクロホンに近づくように配される。前記切替制御部は、前記ミュートモードが実行されているときに、前記近接検出部へ前記被検出物が近接すると、前記通常モードへ切り替える。さらに、前記切替制御部は、前記通常モードが実行されているときに、前記第１の検出部と前記第２の検出部の双方が前記被検出物の近接を検出しなくなると、前記ミュートモードに切り替え、前記第１の検出部と前記第２の検出部のどちらか一方が前記被検出物の近接を検出しないときは、前記通常モードを維持する。
なお、前記第１の検出部と前記第２の検出部の感度は、前記第１の検出部が前記被検出物を検出する距離よりも、前記第２の検出部が前記被検出物を検出する距離が長くなるように設定され得る。
本発明の携帯端末装置によれば、誤ってスピーカに近い第１の検出部側から耳が離れても、第２の検出部が頬などに近接していれば、ミュートモードに切替わらない。よって、ミュートモードが誤って実行され難い。
【発明の効果】
【００２８】
本発明によれば、操作性を損なわせることなく、通話を再開しようとした際にミュートモードが実行されたままで通話ができないことを回避可能な携帯端末装置を提供することができる。
【００２９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００３０】
【図１】実施の形態に係る携帯電話機の外観構成を示す図である。
【図２】実施の形態に係る携帯電話機の全体構成を示すブロック図である。
【図３】実施の形態に係るオートミュート機能の制御処理の処理手順を示すフローチャートである。
【図４】変更例１に係るオートミュート機能の制御処理の処理手順を示すフローチャートである。
【図５】変更例２に係るオートミュート機能の制御処理の処理手順を示すフローチャートである。
【図６】変更例３に係るオートミュート機能の制御処理の処理手順を示すフローチャートである。
【図７】変更例４に係るオートミュート機能の制御処理の処理手順を示すフローチャートである。
【図８】変更例５に係るオートミュート機能の制御処理の処理手順を示すフローチャートである。
【図９】変更例６に係る携帯電話機の外観構成を示す図である。
【図１０】変更例６に係るユーザが携帯電話機を耳に当てて通話をしている態を示す図である。
【図１１】変更例６に係る携帯電話機の全体構成を示すブロック図である。
【図１２】変更例６に係るオートミュート機能の制御処理の処理手順を示すフローチャートである。
【発明を実施するための形態】
【００３１】
以下、本発明の実施の形態について、図面を参照して説明する。図１は携帯電話機の外観構成を示す図である。同図（ａ）は、第２キャビネット２が開放した状態の携帯電話機の正面図であり、同図（ｂ）は同じ状態での側面図である。同図（ｃ）は同図（ｂ）のＡ−Ａ´断面図である。
【００３２】
携帯電話機は、第１キャビネット１と第２キャビネット２を備えている。第１キャビネット１には、キー入力部３が配されている。キー入力部３は、携帯電話機への各種の操作入力を検出する。
【００３３】
第１キャビネット１の上面には、キー入力部３を構成する操作キー群３ａが配されている。操作キー群３ａは、４個の起動キー３１と、方向キー３２と、決定キー３３と、通話キー３４と、終話キー３５と、１２個のテンキー３６と、クリアキー３７とを備えている。
【００３４】
起動キー３１は、主に、電子メール機能、電話帳機能、ウェブ機能などの特定のアプリケーションを起動する際に操作される。方向キー３２は、主に、ディスプレイ２１に表示された各種メニューから所望のメニューを選択する際に操作される。決定キー３３は、主に、選択されたメニューに決定する際やディスプレイ２１に表示された内容に同意（ＯＫ）する際に操作される。通話キー３４は、主に、通話を開始する際に操作され、終話キー３５は、主に、通話を終了する際に操作される。テンキー３６は、主に、文字（ひらがな、カタカナ、アルファベット）や数字、記号の入力を行う際に操作される。クリアキー３７は、主に、入力した文字等を消去する際に操作される。なお、テンキー３６の一部の機能を、ＱＷＥＲＴＹキー等で実現するような構成としてもよい。
【００３５】
第１キャビネット１には、カメラモジュール１１が配されている。カメラモジュール１１のレンズ窓（図示せず）は、第１キャビネット１の背面に臨んでおり、このレンズ窓から被写体の像がカメラモジュール１１に取り込まれる。
【００３６】
第２キャビネット２にはディスプレイ２１が配されている。ディスプレイ２１は、後述のように液晶パネル２１ａと液晶パネル２１ａを照明するパネルバックライト２１ｂにより構成されている。なお、ディスプレイ２１は、有機ＥＬ等他の表示素子により構成されてもよい。
【００３７】
ディスプレイ２１の表示面側には、タッチセンサ２２が配されている。タッチセンサ２２は透明なシート状を有しており、タッチセンサ２２を透してディスプレイ２１の表示面を見ることができる。
【００３８】
タッチセンサ２２は、マトリクス状に配された第１透明電極と第２透明電極とを備えている。タッチセンサ２２は、これら透明電極間の静電容量の変化を検出することによって、ユーザに触られた表示面上の位置を検出し、その位置に応じた位置信号を出力する。なお、タッチセンサ２２は、静電容量式のタッチセンサに限られず、超音波式、感圧式等のタッチセンサであってもよい。
【００３９】
第１キャビネット１側にはマイクロホン１２（以下、「マイク」と略す）が配されており、第２キャビネット２側には通話スピーカ２３が配されている。ユーザは、耳元を通話スピーカ２３の近くに、口元をマイク１２の近くに持ってくることにより通話を行うことができる。
【００４０】
通話スピーカ２３の隣には、近接センサ２４が配されている。近接センサ２４は、たとえば、静電容量式の近接センサである。近接センサ２４は、被検出物（ユーザの耳など）が近接することにより静電容量が増加し、静電容量が閾値を越えると、検出信号を出力する。なお、近接センサ２４は、静電容量式の近接センサに限られず、たとえば、超音波式や誘導形の近接センサであっても良い。
【００４１】
第２キャビネット２は、スライド機構部４によって、第１キャビネット１に対し図１のＸ軸方向にスライド可能に連結されている。図１（ｃ）に示すように、スライド機構部４は、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、スライド方向（図１のＸ軸方向）に沿って形成されている。ガイド板４１の突条４１ａは、ガイド溝４２に係合されている。
【００４２】
携帯電話機を閉じた状態では、図１（ｂ）に一点鎖線で示すように、第２キャビネット２が第１キャビネット１の上に略完全に重なっている。この状態（閉じた状態）では、第２キャビネット２の背後に操作キー群３ａの全てのキーが隠れた状態となる。第２キャビネット２は、ガイド板４１がガイド溝４２の終端位置に達するまでスライドする（開いた状態とする）ことができる。第２キャビネット２が完全に開くと、図１（ａ）に示すように、操作キー群３ａの全てのキーが外部に露出する。
【００４３】
全てのキーが隠れた状態において、携帯電話機への操作入力は、タッチセンサ２２により行うことができる。このとき、ディスプレイ２１の表示面上には、所定の位置にソフトキーの画像が表示される。
【００４４】
なお、第２キャビネット２が完全に閉じても外部から操作可能な位置、たとえば、第１キャビネット１の側面に、操作キー群３ａとは別の操作キーを設けることもできる。こうすれば、第２キャビネット２が完全に閉じていても、このような操作キーを用いて所望の操作を行うことが可能となる。
【００４５】
図２は、携帯電話機の全体構成を示すブロック図である。本実施の形態の携帯電話機は、上述した各構成要素の他、ＣＰＵ１００、メモリ２００、映像エンコーダ３０１、音声エンコーダ３０２、キー入力回路３０３、加速度センサ３０４、通信モジュール３０５、バックライト駆動回路３０６、キーバックライト３０７、映像デコーダ３０８、音声デコーダ３０９、外部スピーカ３１０を備えている。
【００４６】
カメラモジュール１１はＣＣＤ等の撮像素子を有する。カメラモジュール１１は、撮像素子から出力された撮像信号をデジタル化し、その撮像信号にガンマ補正等の各種補正を施して映像エンコーダ３０１へ出力する。映像エンコーダ３０１は、カメラモジュール１１からの撮像信号にエンコード処理を施してＣＰＵ１００へ出力する。
【００４７】
マイク１２は、集音した音声を音声信号に変換して音声エンコーダ３０２へ出力する。音声エンコーダ３０２は、マイク１２からのアナログの音声信号をデジタルの音声信号に変換するとともに、デジタルの音声信号にエンコード処理を施してＣＰＵ１００へ出力する。
【００４８】
キー入力回路３０３は、操作キー群３ａの各キーが操作されたときに、各キーに応じた入力信号をＣＰＵ１００へ出力する。
【００４９】
加速度センサ３０４は、３軸加速度センサであり、図１（ａ）のＸ軸方向、Ｙ軸方向およびＺ軸方向の３方向に生じる加速度を検出するように配されている。加速度センサ３０４は、検出した加速度に応じた加速度信号をＣＰＵ１００へ出力する。
【００５０】
通信モジュール３０５は、ＣＰＵ１００からの音声信号や画像信号、テキスト信号などを無線信号に変換し、アンテナ３０５ａを介して基地局へ送信する。また、アンテナ３０５ａを介して受信した無線信号を音声信号や画像信号、テキスト信号などに変換してＣＰＵ１００へ出力する。
【００５１】
バックライト駆動回路３０６は、ＣＰＵ１００からの制御信号に応じた電圧信号をキーバックライト３０７およびパネルバックライト２１ｂに供給する。キーバックライト３０７は、バックライト駆動回路３０６からの電圧信号により点灯し、操作キー群３ａの個々のキーを照明する。パネルバックライト２１ｂは、バックライト駆動回路３０６からの電圧信号により点灯し、液晶パネル２１ａを照明する。
【００５２】
映像デコーダ３０８は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示面上に表示する。
【００５３】
音声デコーダ３０９は、ＣＰＵ１００からの音声信号にデコード処理を施し、さらにアナログの音声信号に変換して通話スピーカ２３に出力する。また、音声デコーダ３０９は、ＣＰＵ１００からの着信音、アラーム音等の各種報知音の音信号にデコード処理を施し、さらにアナログの音信号に変換して外部スピーカ３１０へ出力する。通話スピーカ２３は、音声デコーダ３０９からの音声信号を音声として再生する。外部スピーカ３１０は、音声デコーダ３０９からの着信音等を再生する。
【００５４】
メモリ２００は、ＲＯＭおよびＲＡＭを含む。メモリ２００には、ＣＰＵ１００に制御機能を付与するための制御プログラムが記憶されている。また、メモリ２００には、カメラモジュール１１で撮影した画像データや通信モジュール３０５を介して外部から取り込んだ画像データ、テキストデータ（メールデータ）などが所定のファイル形式で保存される。
【００５５】
ＣＰＵ１００は、キー入力回路３０３およびタッチセンサ２２からの操作入力信号に基づき、制御プログラムに従って、カメラモジュール１１、マイク１２、通信モジュール３０５、液晶パネル２１ａ、通話スピーカ２３、外部スピーカ３１０等を動作させる。これにより、通話機能、電子メール機能等の各種機能（アプリケーション）を実行する。
【００５６】
本実施の形態の携帯電話機には、オートミュート機能が搭載されている。ユーザは、各種の設定を行う設定モードにおいて、オートミュート機能のオン・オフを設定することができる。オートミュート機能がオン設定されると、通話時に、ユーザが携帯電話機を耳元から離せば、自動的にミュートモードに切り替えられる。ミュートモードになると、マイク１２がオフされ、マイク１２から音声が入力されなくなるので、ユーザの音声が通信相手に送信されなくなる。一方、ユーザが携帯電話機を再び耳元に近づければ、自動的にミュートモードが解除されて通常モードとなる。
【００５７】
ここで、ミュートモードとは、たとえば、マイク１２がオフ状態にあって音声が入力さ
れないことにより、ユーザの音声が通話相手に送信されない状態をいう。また、通常モードとは、ミュートモードとは反対に、たとえば、マイク１２がオン状態にあって音声が入力されることにより、ユーザの音声が通話相手に送信される状態をいう。
【００５８】
図３は、オートミュート機能の制御処理の処理手順を示すフローチャートである。
【００５９】
電話の着信があり、通話キー３４が操作されると、通話が開始される。通話時には、ＣＰＵ１００は、音声デコーダ３０１から入力された音声データを通信モジュール３０５へ出力して、通信モジュール３０５から送信させる。また、通信モジュール３０５から入力された音声データを音声デコーダ３０９へ出力して、通話スピーカ２３から出力させる。
【００６０】
通話が開始されてから、最初に携帯電話機が耳元に近づけられるまでには、オートミュート機能の制御処理が開始されず、携帯電話機が耳元から離れていてもミュートモードにはならない。これにより、通話開始時に、ユーザが意図しないにも関わらずミュートモードが実行されるのを防止できる。
【００６１】
携帯電話が耳元に近づけられ、耳が近接センサ２４に近接して近接センサ２４からオン信号が出力されると、オートミュート機能の制御処理が開始される。
【００６２】
なお、通話が開始されるとは、着信があった場合に通話キー３４を押すこと、また、電話をかける場合に相手先の電話番号を入力してから通話キー３４を押すことをいう。
【００６３】
ＣＰＵ１００は、まず、ミュートモード中であるか否かを判定する（Ｓ１０１）。上記のように、最初はミュートモード中ではないので（Ｓ１０１：ＮＯ）、ＣＰＵ１００は、耳が近接センサ２４から離れたか否かを判定する（Ｓ１０２）。近接センサ２４から検出信号が出力されていることにより、耳が近接センサ２４から離れていないと判定すると（Ｓ１０２：ＮＯ）、ＣＰＵ１００は、通常モードを維持する。これにより、マイク１２から入力された音声が、通話相手の携帯電話機に送信される。
【００６４】
ユーザは、通話相手との通話を一時中断し、その間、マイク１２からの音声を通話相手に送りたくない場合に、携帯電話機を耳元から離す。これにより、耳が近接センサ２４から離れ、近接センサ２４から検出信号が出力されなくなる。
【００６５】
ＣＰＵ１００は、ステップＳ１０２で、近接センサ２４から検出信号が出力されなくなったことにより、耳が近接センサ２４から離れたと判定すると（Ｓ１０２：ＹＥＳ）、ミュートモードに切り替える（Ｓ１０３）。即ち、ＣＰＵ１００は、マイク１２をオフする。これにより、マイク１２から入力された音声が、通話相手の携帯電話機に送信されなくなる。
【００６６】
ミュートモードになると、ステップＳ１０１で、ＣＰＵ１００は、ミュートモード中であると判定し（Ｓ１０１：ＹＥＳ）、次に、耳が近接センサ２４に近接したか否かを判定する（Ｓ１０４）。近接センサ２４から検出信号が出力されていないことにより、耳が近接センサ２４に近接していないと判定すると（Ｓ１０４：ＮＯ）、ＣＰＵ１００は、ミュートモードを維持する。
【００６７】
ユーザは、通話相手との通話を再開する場合に、携帯電話機を再び耳元に近づける。これにより、ユーザの耳が近接センサ２４に近接すると、近接センサ２４から検出信号が出力される。
【００６８】
ＣＰＵ１００は、ステップＳ１０４で、近接センサ２４から検出信号が出力されたこと
により、耳が近接センサ２４に近接したと判定すると（Ｓ１０４：ＹＥＳ）、ミュートモードを解除する（Ｓ１０５）。即ち、ＣＰＵ１００は、マイク１２をオンする。これにより、再び、通常モードとなり、マイク１２から入力された音声が、通話相手の携帯電話機に送信されるようになる。
【００６９】
このようにして、終話キー３５が操作され、通話が終了するまで、ＣＰＵ１００は、オートミュート機能の制御処理を実行する。
【００７０】
以上、本実施の形態によれば、通話相手との通話を再開するために、ユーザが携帯電話機を耳元に近づけさえすれば、自動的にミュートモードが解除され、通常モードとなる。よって、ミュートモードが実行されたままで通話できない状態を回避できる。しかも、ミュートモード中にも指が自由に使えるため、他の操作を行いやすい。
【００７１】
また、本実施の形態によれば、ユーザが携帯電話機を耳元から離せば自動的にミュートモードに切り替わるので、ミュートモードへの切替操作が容易となる。
【００７２】
＜変更例１＞
図４は、変更例１に係るオートミュート機能の制御処理の処理手順を示すフローチャートである。なお、図４のフローチャートでは、上記実施の形態と同じ処理については、同じステップ番号が付されている。また、上記実施の形態と同じであるステップＳ１０２、Ｓ１０３の処理が図示省略されている。
【００７３】
本変更例では、ミュートモードが解除された状態からミュートモードへ切り替えるための制御処理が上記実施の形態とは異なる。
【００７４】
ＣＰＵ１００は、ステップＳ１０１でミュートモード中であると判定すると（１０１：ＹＥＳ）、携帯電話機が移動したか否かを判定する（Ｓ１０６）。たとえば、ＣＰＵ１００は、加速度センサ３０４からの３軸方向の加速度信号を取得する。携帯電話機が移動した場合、移動し始めの段階において、３軸方向の加速度のうちの少なくとも何れか１つが大きく変化する。ＣＰＵ１００は、何れかの加速度の変化が予め定めた閾値を越えると、携帯電話機が移動したと判定する。このとき、ユーザが携帯電話機の移動を意図せず、ユーザが携帯電話機を持った状態で携帯電話機がわずかに動く程度であれば移動したと判定されないよう、閾値が設定される。
【００７５】
ユーザが携帯電話機を耳元に近づける場合には、携帯電話機が移動した直後に耳が近接センサ２４に近接する。ＣＰＵ１００は、携帯電話機が移動したと判定すると（Ｓ１０６：ＹＥＳ）、予め定めた制限時間内に耳が近接センサ２４に近接したか否かを判定する（Ｓ１０７）。制限時間は、ＣＰＵ１００に内蔵されたタイマーによって、たとえば、携帯電話機が停止したときからカウントが開始される。
【００７６】
ＣＰＵ１００は、制限時間以内に耳が近接センサ２４に近接すれば（Ｓ１０７：ＮＯ→Ｓ１０４：ＹＥＳ）、ミュートモードを解除する（Ｓ１０５）。
【００７７】
一方、ユーザが携帯電話機を持ったまま、手や指が誤って近接センサ２４に近接しても、この場合には、それ以前に、ＣＰＵ１００が、携帯電話機が移動したと判定しないので、ミュートモードが解除されない。
【００７８】
このように、本変更例の構成によれば、耳が近接センサ２４に近接する前に携帯電話機が移動されなければミュートモードが解除されないので、ミュートモードが誤って解除され難い。
【００７９】
＜変更例２＞
図５は、変更例２に係るオートミュート機能の制御処理の処理手順を示すフローチャートである。なお、図５のフローチャートでは、上記実施の形態と同じ処理については、同じステップ番号が付されている。また、上記実施の形態と同じであるステップＳ１０２、Ｓ１０３の処理が図示省略されている。
【００８０】
本変更例では、変更例１と同様、ミュートモードが解除された状態からミュートモードへ切り替えるための制御処理が上記実施の形態とは異なる。
【００８１】
ＣＰＵ１００は、ステップＳ１０１でミュートモード中であると判定し（１０１：ＹＥＳ）、さらに、ステップＳ１０４で耳が近接センサ２４に近接したと判定すると（Ｓ１０４：ＹＥＳ）、携帯電話機が傾いているか否を判定する（Ｓ１０８）。携帯電話機が静止した状態において、加速度センサ３０４には重力による加速度がかかる。携帯電話機が水平な状態にあれば、加速度センサ３０４によって３軸方向のうち１つの方向のみに重力による加速度が検出される。一方、携帯電話機が傾いていれば、加速度センサ３０４によって、３軸方向うち何れか２つの方向に重力による加速度が検出される。たとえば、ＣＰＵ１００は、少なくとも２方向の加速度が予め定めた閾値を越えていれば、携帯電話機が傾いていると判定する。
【００８２】
ユーザが携帯電話機を耳元に近づけた場合には、携帯電話機が傾いている。よって、ＣＰＵ１００は、携帯電話機が傾いていると判定すると（Ｓ１０８：ＹＥＳ）、ミュートモードを解除する（Ｓ１０５）。
【００８３】
一方、ユーザが携帯電話機を机やテーブルに置いたまま、手や指が誤って近接センサ２４に近接した場合、携帯電話機はほぼ水平な状態となっているため、ステップＳ１０８でＣＰＵ１００は、携帯電話機が傾いていないと判定する（Ｓ１０８、：ＮＯ）。よって、この場合は、ミュートモードが解除されない。
【００８４】
このように、本変更例の構成によれば、携帯電話機が傾いていなければミュートモードが解除されないので、ミュートモードが誤って解除され難い。
【００８５】
なお、本変更例では、加速度センサ３０４を用いて携帯電話機の姿勢を検出するようにしているが、地磁気センサを用いて携帯電話機の姿勢を検出するようにしても良い。
【００８６】
また、本変更例が、変更例１の制御処理に付加されても良い。この場合、図４に示す変更例１のステップＳ１０４の処理の後に、図５に示す本変更例のステップＳ１０８の処理が付加され得る。
【００８７】
＜変更例３＞
図６は、変更例３に係るオートミュート機能の制御処理の処理手順を示すフローチャートである。なお、図６のフローチャートでは、上記実施の形態と同じ処理については、同じステップ番号が付されている。また、上記実施の形態と同じであるステップＳ１０４、Ｓ１０５の処理が図示省略されている。
【００８８】
本変更例では、ミュートモードを解除するための制御処理が上記実施の形態とは異なる。
【００８９】
ＣＰＵ１００は、ステップＳ１０１でミュートモード中でないと判定し（１０１：ＮＯ）、さらに、ステップＳ１０２で耳が近接センサ２４から離れたと判定すると（Ｓ１０２
：ＹＥＳ）、予め定められた猶予時間が経過したか否かを判定する（Ｓ１０９）。猶予時間は、ＣＰＵ１００に内蔵されたタイマーによって、近接センサ２４からの検出信号がなくなったときからカウントが開始される。ＣＰＵ１００は、猶予時間が経過していなければ（Ｓ１０９：ＮＯ）、耳が近接センサ２４に近接したか否かを判定する。
【００９０】
ユーザが、ミュートモードへの切り替えの意図なく、偶然、通話スピーカ２３から耳を離した場合には、直ちに、耳を通話スピーカ２３に近づける。よって、この場合は、耳が近接センサ２４から離れても、猶予時間内に、再び近接センサ２４に近接する。
【００９１】
ＣＰＵ１００は、猶予時間内に耳が近接センサ２４に近接すれば（Ｓ１１０：ＹＥＳ）、ミュートモードへの切り替えを行わず、ステップＳ１０２に戻って、耳が近接センサ２４から離れたか否かの判定を行う。このとき、タイマーによる猶予時間のカウントは停止され、タイマーはリセットされる。
【００９２】
一方、ユーザがミュートモードへ切り替えるために通話スピーカ２３から耳を離した場合には、猶予時間が経過しても耳が近接センサ２４から離れたままとなる。よって、ＣＰＵ１００は、耳が近接センサ２４に近接することなく、猶予時間が経過したと判定すると（Ｓ１１０：ＮＯ→Ｓ１０９：ＹＥＳ）、ミュートモードに切り替える（Ｓ１０３）。
【００９３】
このように、本変更例の構成によれば、少しの間、耳を通話スピーカ２３から離すなどしても、ミュートモードに切り替わらない。よって、ミュートモードが誤って実行され難い。
【００９４】
なお、本変更例のステップＳ１０４およびＳ１０５の処理に替えて、変更例１の制御処理および変更例２の制御処理の少なくとも一方が適用されても良い。
【００９５】
＜変更例４＞
図７は、変更例４に係るオートミュート機能の制御処理の処理手順を示すフローチャートである。なお、図７のフローチャートでは、上記実施の形態と同じ処理については、同じステップ番号が付されている。また、上記実施の形態と同じであるステップＳ１０４、Ｓ１０５の処理が図示省略されている。
【００９６】
本変更例では、変更例３と同様、ミュートモードを解除するための制御処理が上記実施の形態とは異なる。また、変更例３の構成に対して、ステップＳ１１１およびＳ１１２の処理が付加されている。
【００９７】
ＣＰＵ１００は、ステップＳ１０１でミュートモード中でないと判定し（１０１：ＮＯ）、さらに、ステップＳ１０２で耳が近接センサ２４から離れたと判定した後に（Ｓ１０２：ＹＥＳ）、ステップＳ１０９で猶予時間が経過していないと判定すると（Ｓ１０９：ＮＯ）、予め定められた特定の操作がなされた否かを判定する（Ｓ１１１）。
【００９８】
特定の操作としては、たとえば、ユーザが受話音量を調整する操作、自分の電話番号を表示させるための操作、電話帳の機能を起動する操作、ハンズフリーに切り替える操作などが挙げられる。要するに、これら操作は、通話中に、一旦、携帯電話機を耳元から離して行われる操作であり、この操作に基づく機能が実行されているときには、ミュートモードにする必要はない。むしろ、ハンズフリーの機能の場合には、ＣＰＵ１００によって、音声の出力先が通話スピーカ２３から外部スピーカ３１０へ切り替えられるだけであり、携帯電話機が耳元に近づけられずに通話が継続されるので、ミュートモードが実行されてはならない。
【００９９】
ＣＰＵ１００は、猶予時間内に特定の操作がなされれば（Ｓ１１１：ＹＥＳ）、ミュートモードに切り替えることなく、再び、耳が近接センサ２４に近接するのを待つ（Ｓ１１２）。
【０１００】
ユーザが、たとえば、音量調整の操作を終えて、再び携帯電話機を耳元に近づけると、耳が近接センサ２４に近接する。ＣＰＵ１００は、ステップＳ１１２で耳が近接センサ２４に近接した判定すると（Ｓ１１２：ＹＥＳ）、ステップＳ１０２に戻って耳が近接センサ２４から離れたか否かの判定を行う。このとき、タイマーによる猶予時間のカウントは停止され、タイマーはリセットされる。
【０１０１】
このように、本変更例の構成によれば、たとえば、受話音量を調整する操作、自分の電話番号を表示させるための操作、電話帳の機能を起動する操作、ハンズフリーに切り替える操作などを行うために、ユーザが携帯電話機を耳元から離しても、すぐにそれらの操作を行うことにより、ミュートモードに切り替わらない。よって、ユーザに対する利便性が良くなる。
【０１０２】
なお、本変更例のステップＳ１０４およびＳ１０５の処理に替えて、変更例１の制御処理および変更例２の制御処理の少なくとも一方が適用されても良い。
【０１０３】
＜変更例５＞
図８は、変更例５に係るオートミュート機能の制御処理の処理手順を示すフローチャートである。なお、図８のフローチャートでは、上記実施の形態と同じ処理については、同じステップ番号が付されている。
【０１０４】
本変更例では、変更例３および変更例４と同様、ミュートモードを解除するための制御処理が上記実施の形態とは異なる。即ち、本変更例では、近接センサ２４のオン・オフに基づいてミュートモードへの切り替えが行われるのではなく、キー操作に基づいてミュートモードへの切り替えが行われる。この場合、通話中は、操作キー群３ａの中の一つのキーが、ミュートモードへの切替操作を行うためのミュートキーに割り当てられる。
【０１０５】
ＣＰＵ１００は、ステップＳ１０１でミュートモード中でないと判定すると（１０１：ＮＯ）、ミュートキーが操作されたか否かを判定する（Ｓ１１３）。
【０１０６】
ユーザは、ミュートモードへ切り替える場合に、ミュートキーを操作する。ＣＰＵ１００は、ミュートキーが操作されたと判定すると（Ｓ１１３：ＹＥＳ）、ミュートモードに切り替える（Ｓ１０３）。
【０１０７】
このように、本変更例の構成によれば、ミュートモードへの切替えが、ユーザのキー操作により行われるので、ミュートモードが誤って実行され難い。
【０１０８】
なお、本変更例のステップＳ１０４およびＳ１０５の処理に替えて、変更例１の制御処理および変更例２の制御処理の少なくとも一方が適用されても良い。
【０１０９】
＜変更例６＞
図９は、変更例６に係る携帯電話機の外観構成を示す図である。図１０は、ユーザが携帯電話機を耳に近づけて通話をしている状態を示す図である。同図（ａ）は、第１近接センサ２５が耳に近接している状態を示し、同図(ｂ)は、第１近接センサ２５が耳から離れてしまった状態を示す。図１１は、変更例６に係る携帯電話機の全体構成を示すブロック図である。なお、図９および図１１では、上記実施の形態と同じ構成には、同じ符号が付されている。
【０１１０】
図９に示すように、本変更例では、通話スピーカ２３の隣に第１近接センサ２５が配されている。また、ディスプレイ２１を挟んで第１近接センサ２５の反対側には、第２近接センサ２６が配されている。第２近接センサ２６は、図９のＸ軸方向において、第１近接センサ２５よりもマイク１２の近くなるように配されている。
【０１１１】
第１近接センサ２５と第２近接センサ２６の感度は、図１０（ａ）に示すように、第１近接センサ２５が被検出物を検出する距離Ｄ１（以下、検出距離Ｄ１という）よりも、第２近接センサ２６が被検出物を検出する距離Ｄ２（以下、検出距離Ｄ２という）が長くなるように設定されている。このため、ユーザの頬に対する第２近接センサ２６の距離が、耳に対する第１近接センサ２５の距離より離れていても、第２近接センサ２６が頬の近接を検出する。
【０１１２】
図１１に示すように、第１近接センサ２５および第２近接センサ２６は、ＣＰＵ１００に接続されており、双方の近接センサ２５、２６から、それぞれ、ＣＰＵ１００に検出信号が出力される。
【０１１３】
図１２は、変更例６に係るオートミュート機能の制御処理の処理手順を示すフローチャートである。
【０１１４】
ＣＰＵ１００は、まず、ミュートモード中であるか否かを判定する（Ｓ２０１）。そして、ミュートモード中でないと判定すると（Ｓ２０１：ＮＯ）、第１近接センサ２５および第２近接センサ２６が被検出物（耳や頬）の近接を検出したか否かを判定する（Ｓ２０２、Ｓ２０３）。
【０１１５】
通話中、ミュートモードへの切替えを意図せず、ユーザが少し耳を通話スピーカ２３から離すようにした場合には、第１近接センサ２５だけオフして第２近接センサ２６がオフしないケースも多い。たとえば、図１０（ｂ）に示すように、ユーザが手首を動かして、一点鎖線矢印のごとく、携帯電話を外側に傾けた場合は、第１近接センサ２５だけが耳から離れ、第２近接センサ２６は頬から離れにくい。
【０１１６】
よって、ＣＰＵ１００は、第１近接センサ２５および第２近接センサ２６のどちらか一方が近接を検出していれば（Ｓ２０２：ＮＯ、Ｓ２０３：ＮＯ）、通常モードを維持する。
【０１１７】
一方、ユーザがミュートモードに切り替えるために、携帯電話機を耳元から大きく離した場合には、耳が第１近接センサ２５から離れ、頬も第２近接センサ２６から離れる。
【０１１８】
よって、ＣＰＵ１００は、第１近接センサ２５および第２近接センサ２６の双方が近接を検出しなくなれば（Ｓ２０２：ＹＥＳ→Ｓ２０３：ＹＥＳ）、ミュートモードに切り替える（Ｓ２０４）。
【０１１９】
ミュートモードとなり、ＣＰＵ１００は、ステップＳ２０１でミュートモード中であると判定すると（Ｓ２０１：ＹＥＳ）、第１近接センサ２５および第２近接センサ２６が被検出物の近接を検出したか否かを判定する（Ｓ２０２、Ｓ２０３）。
【０１２０】
ユーザの手や指が、誤って第２キャビネット２に触れても、２つの近接センサ２５、２６は、ディスプレイ２１を挟んだ、比較的離れた位置にあり、第１近接センサ２５と第２近接センサ２６の双方が近接を検出する可能性は低い。
【０１２１】
よって、ＣＰＵ１００は、第１近接センサ２５および第２近接センサ２６のどちらか一方が近接を検出していなければ（Ｓ２０５：ＮＯ、Ｓ２０６：ＮＯ）、ミュートモードを維持する。
【０１２２】
一方、ユーザが携帯電話機を耳元に持っていけば、図１０（ａ）のように、第１近接センサ２５が耳に近接し、第２近接センサ２６が頬に近接する。
【０１２３】
よって、ＣＰＵ１００は、第１近接センサ２５および第２近接センサ２６の双方が近接を検出すれば（Ｓ２０５：ＹＥＳ→Ｓ２０６：ＹＥＳ）、ミュートモードを解除する（Ｓ２０７）。
【０１２４】
このように、本変更例の構成によれば、通話スピーカ２３に近い第１近接センサ２５から誤って耳が離れても、第２近接センサ２６が頬に近接していれば、ミュートモードに切替わらない。よって、ミュートモードが誤って実行され難い。
【０１２５】
また、本変更例の構成によれば、手や指が誤って一方の近接センサ２５、２６に触れてしまってもミュートモードが解除されないので、ミュートモードが誤って解除され難い。
【０１２６】
なお、本変更例に、さらに、第１変更例ないし第４変更例の少なくとも１つの制御処理が適用されても良い。また、ステップＳ２０２およびＳ２０３の処理に替えて、変更例５のステップＳ１１３の処理（図８参照）が適用されても良い。
【０１２７】
＜その他＞
通話時には、ユーザの耳と携帯電話機の通話スピーカ２３とが最も近接しやすいため、上記実施の形態では、通話スピーカ２３の隣（周囲）に近接センサ２４を配置して、耳が近接センサ２４に近接したことを検出するようにしている。しかしながら、これに限らず、たとえば、通話時には、ユーザの頬も携帯電話機に近づくため、頬が近接しやすい第２キャビネット２や第１キャビネット１の部位に近接センサ２４を配置し、頬が近接センサ２４に近接したことを検出するようにしても良い。
【０１２８】
また、上記実施の形態では、ミュートモードになると、ＣＰＵ１００がマイク１２をオフする構成としている。しかしながら、これに限らず、マイク１２はオンしたままであるが、音声エンコーダ３０２が音声データをＣＰＵ１００に出力しないような構成としても良いし、ＣＰＵ１００が音声データを通信モジュール３０５へ出力しないような構成としても良い。
【０１２９】
また、上記実施の形態では、携帯電話機に耳などが近接したことを近接センサ２４によって検出する構成としている。しかしながら、これに限らず、タッチセンサ２２を用いるようにしても良い。この場合、通話時には、タッチセンサ２２によるキー入力は禁止され、操作キー群３ａのみによりキー入力が行われる。また、タッチセンサ２２よって耳などがすぐに離れたと検出されず、誤ってミュートモードが実行され難くするためには、耳などの近接を検出する検出距離が、キー入力を検出する検出距離より大きくされることが望ましい。このため、可能であれば、タッチセンサ２２の検出距離が、ＣＰＵ１００からの制御信号等によって切り替えられることが望ましい。
【０１３０】
さらに、上記実施の形態では、いわゆるスライド式の携帯電話機に本発明が適用されている。しかしながら、これに限らず、いわゆる折り畳み式、ストレート型等、いかなるタイプの携帯電話機に本発明が適用されてもよい。
【０１３１】
さらに、本発明の携帯端末装置は、携帯電話機に限られず、ＰＤＡ（PersonalDigital 
Assistant）等であってもよい。
【０１３２】
この他、本発明の実施の形態は、特許請求の範囲に示された技術的思想の範囲内において、適宜、種々の変更が可能である。
【符号の説明】
【０１３３】
３  キー入力部（操作部）
１２  マイクロホン
２３  通話スピーカ（スピーカ）
２４  近接センサ（近接検出部）
２５  第１近接センサ（近接検出部、第１の検出部）
２６  第２近接センサ（近接検出部、第２の検出部）
１００  ＣＰＵ（切替制御部）
３０４  加速度センサ（移動検出部、姿勢検出部）
【図１】
0005567914.tif 000002
【図２】
0005567914.tif 000003
【図３】
0005567914.tif 000004
【図４】
0005567914.tif 000005
【図５】
0005567914.tif 000006
【図６】
0005567914.tif 000007
【図７】
0005567914.tif 000008
【図８】
0005567914.tif 000009
【図９】
0005567914.tif 000010
【図１０】
0005567914.tif 000011
【図１１】
0005567914.tif 000012
【図１２】
0005567914.tif 000013